(57)【特許請求の範囲】
【請求項１】
活性炭が充填された活性炭槽と前記活性炭槽の後段に配置された第２の水処理手段とを備え、活性炭によって浄化された水を更に処理するようになった水処理装置において：
活性炭を再生するべく活性炭槽を加熱する加熱手段を設け、浄水出口と熱水出口とを備えた三方弁を前記活性炭槽に接続し、前記三方弁の浄水出口を前記第２水処理手段に接続し、前記三方弁の熱水出口を熱水排出管路に接続し、
前記加熱手段の非作動時には活性炭によって浄化された水を第２水処理手段に送り、前記加熱手段の作動時には前記三方弁を切換えて活性炭槽を熱水排出管路に接続することにより熱水をして第２水処理手段をバイパスさせるようになし、
前記第２水処理手段は水の電気分解によりアルカリ性水又は酸性水を生成するための電解槽であり、前記電解槽は第１出口と第２出口とを備え、電解槽の前記第１出口には第１の管路が接続してあり、前記熱水排出管路は水処理装置の筺体の内部において前記第１管路に合流させてあり、
熱水排出管路の合流部と第２水処理手段との間にはトラップ機構が設けてあり、もって、前記加熱手段の作動時に熱水や水蒸気が第２水処理装置の方に流れるのを防止するようになっていることを特徴とする水処理装置。
【請求項２】
活性炭が充填された活性炭槽と前記活性炭槽の後段に配置された第２の水処理手段とを備え、活性炭によって浄化された水を更に処理するようになった水処理装置において：
活性炭を再生するべく活性炭槽を加熱する加熱手段を設け、浄水出口と熱水出口とを備えた三方弁を前記活性炭槽に接続し、前記三方弁の浄水出口を前記第２水処理手段に接続し、前記三方弁の熱水出口を熱水排出管路に接続し、
前記加熱手段の非作動時には活性炭によって浄化された水を第２水処理手段に送り、前記加熱手段の作動時には前記三方弁を切換えて活性炭槽を熱水排出管路に接続することにより熱水をして第２水処理手段をバイパスさせるようになし、
前記第２水処理手段は中空糸膜フィルターを備えた濾過装置であり、前記濾過装置には浄水吐出管路が接続してあり、前記熱水排出管路は水処理装置の筺体の内部において前記浄水吐出管路に合流させてあり、
熱水排出管路の合流部と第２水処理手段との間にはトラップ機構が設けてあり、もって、前記加熱手段の作動時に熱水や水蒸気が第２水処理装置の方に流れるのを防止するようになっていることを特徴とする水処理装置。
【請求項３】
前記トラップ機構はＴ継手と一体的に形成されている請求項１又は２に基づく水処理装置。
【請求項４】
前記三方弁は活性炭槽から流出する流体の温度に応答して切換わる感温型の三方弁であり、前記三方弁は、流体温度が所定値以下の時には活性炭槽を前記第２水処理装置に接続し、流体温度が前記所定値を超えた時には活性炭槽を熱水排出管路に接続することを特徴とする請求項１から３のいづれかに基づく水処理装置。
【発明の詳細な説明】
【０００１】
【発明の目的】
【産業上の利用分野】
本発明は、上水を活性炭に接触させて浄化すると共に、斯く得られた浄水を更に濾過装置および／又は電解装置によって処理するようになった家庭用の水処理装置に関する。本発明は、特に、活性炭を随時加熱することにより活性炭を煮沸滅菌すると共に再生し、長期間にわたって活性炭の吸着能力を維持するようになった、活性炭再生機能を備えた水処理装置に関する。
【０００２】
【従来の技術】
水道水を活性炭に接触させることにより、水道水中に溶存する残留塩素や、トリハロメタンのような有害な有機塩素化合物や、２メチルイソボルネオールやジオスミンのような黴くさい物質を活性炭に吸着させて除去するようになった浄水器は市販されている。残留塩素（次亜塩素酸イオン若しくは次亜塩素酸）を除去すると水の殺菌力が失われるので、活性炭を備えた浄水器においては、活性炭の後段に中空糸膜フィルターのようなフィルターを設け、バクテリヤを濾過できるようにするのが一般的である。
【０００３】
また、活性炭によって浄化された水を電解槽に送って電解し、アルカリ性水や酸性水を得るようになった水処理装置も市販されている。
【０００４】
他方、活性炭槽を随時加熱することにより活性炭を煮沸滅菌すると共に再生し、長期間にわたって活性炭の吸着能力を維持するようになった活性炭再生型の浄水器も提案されている。加熱により、沸点の低いトリハロメタン（クロロホルムの沸点は約61℃；ブロモジクロロメタンの沸点は約90℃）は活性炭から脱着されると共に、活性炭表面の活性点が復活するので、活性炭が再生され、活性炭の寿命が延長する。
【０００５】
【発明が解決しようとする課題】
活性炭再生型の浄水器においても、活性炭槽の後段に中空糸膜フィルターや電解槽を設け、活性炭で処理された浄水を更に濾過したり電解したりするのが好ましい。しかし、現在の技術水準では、中空糸膜フィルターは十分な耐熱性を備えていないので、活性炭再生時に発生する熱水や水蒸気によって中空糸膜フィルターが劣化するおそれがある。また、電解槽の場合でも、電解槽のケースが熱により劣化すると共に電極板に歪みが発生するので、熱負荷を課すのは好ましくない。
【０００６】
本発明の目的は、活性炭槽の後段に中空糸膜フィルターや電解槽を設けた水処理装置において、活性炭を加熱再生することにより活性炭の寿命を延長させると共に、活性炭再生時に発生する熱水や水蒸気の熱から後段の中空糸膜フィルターや電解槽を保護することにある。
【０００７】
【発明の構成】
【課題を解決するための手段および作用】
本発明の水処理装置は、活性炭が充填された活性炭槽と、その後段に配置された中空糸膜フィルター又は電解槽のような第２の水処理手段とを有する。活性炭槽にはヒーターが設けてあり、活性炭を加熱することにより吸着物質を脱着させ、活性炭を再生するようになっている。活性炭槽には三方弁が接続してあり、その浄水出口は第２水処理手段に接続され、熱水出口は熱水排出ホースに接続される。三方弁は、手動や電動のものでもよいが、温度に応答して自動的に切換わる感温型のものが好ましい。
【０００８】
ヒーターの非作動時には、活性炭によって浄化された水は中空糸膜フィルター又は電解槽に送られ、更に濾過又は電解に付される。ヒーターの作動時には、三方弁は切換えられ、活性炭槽から流出する熱水又は水蒸気は、中空糸膜フィルターや電解槽をバイパスして、熱水排出ホースから排出される。従って、中空糸膜フィルターや電解槽に熱負荷が加わることがない。
【０００９】
請求項１に記載した装置においては、第２の水処理手段は電解槽であり、電解槽の捨て水ホースと熱水排出ホースとは水処理装置の筺体の内部において合流させてある。このようにすれば、水処理装置からの排出ホースを１本にすることができ、配管を簡素化することができる。
【００１０】
請求項２に記載した装置においては、第２の水処理手段は中空糸膜フィルターであり、熱水排出ホースは水処理装置の筺体の内部においてフィルターからの浄水吐出ホースに合流させてある。この場合には、水処理装置からの吐水ホースを１本にすることができ、配管を簡素化することができる。
【００１１】
好ましい実施態様においては、熱水排出ホースと捨て水ホース（又は、浄水吐水ホース）との合流部と電解槽（又は、中空糸膜フィルター）との間にはトラップ機構を設け、ヒーターの作動時に熱水や水蒸気が電解槽（又は、中空糸膜フィルター）の方に逆流するのを防止する。このトラップ機構は、Ｔ継手と一体的に形成するのが好ましい。
【００１２】
【実施例】
添付図面に基づいて本発明の第１実施例を説明する。図１を参照するに、本発明の水処理装置１０は、例えば、流し１２を備えた台所カウンター１４上に載置して使用することができる。図示した使用例では、流しにはシングルレバー型の湯水混合栓１６が設置してあり、この湯水混合栓１６には給湯パイプ１６Ａを介して給湯機（図示せず）からの湯が供給され、水道管（図示せず）に接続された給水パイプ１６Ｂから上水が供給されるようになっている。
【００１３】
水栓１６のスパウト１８には切換え弁機構を内蔵した蛇口アダプタ２０が取付けてあり、このアダプタ２０は上水供給ホース２２と処理水吐出ホース２４とにより水処理装置１０に接続されている。アダプタ２０のハンドル２６を所定位置に回すと、水栓１６からの上水は上水供給ホース２２により水処理装置１０に送られ、処理された水は吐出ホース２４からアダプタ２０に送り返され、その出口２８から吐出される。ハンドル２６を他の位置に回すと、水栓１６からの未処理の上水（又は湯水混合物）は水処理装置１０を経由することなくアダプタ２０の出口２８からそのまゝ吐出される。水処理装置１０には、更に、排水ホース３０が接続してあり、水処理装置１０内で生じた不要な水や熱水や水蒸気を流し１２に排出させるようになっている。
【００１４】
図２を参照するに、この第１実施例においては、水処理装置１０は、水道水中に浮遊する赤錆や微生物などの粒子成分を予めフィルターの濾過作用により除去し、次に、水道水中に溶存する残留塩素やトリハロメタンや臭気物質のような有害な或いは不本意な物質を活性炭の吸着作用により除去し、斯く浄化された浄水を必要に応じて更に電気分解して酸性水やアルカリ性水を生成するようになっている。このため、この水処理装置１０は、中空糸膜フィルターのようなフィルター（図示せず）が内蔵された濾過段３２と、活性炭が収容された活性炭カートリッジ３４からなる吸着段と、水の電解により酸性水やアルカリ性水を生成するための電解槽３６とを備えている。水処理装置のこれらの構成要素は、底板３８付きのベース４０に支持され、外側ケース４２によって囲われている。
【００１５】
水栓１６からの上水は上水供給ホース２２を介して濾過段３２に送られ、濾過された上水はホース４４を介して活性炭カートリッジ３４に送られる。活性炭カートリッジ３４はステンレスなどの金属で形成されており、その底部には電気ヒーター４６が設けてある。図３に示したように、活性炭カートリッジ３４は、ステンレス鋼板の巻き締め製缶により形成された容器３４Ａ内に芯枠３４Ｂを配置し、活性炭素繊維や粒状活性炭をバインダーなどで成形した活性炭層３４Ｃをこの芯枠３４Ｂの周りに固定することにより形成することができる。
【００１６】
カートリッジ３４の入口３４Ｄには濾過段３２からのホース４４が接続され、出口３４Ｅには三方弁４８が装着される。活性炭カートリッジ３４は定期的に或いは使用者のスイッチ操作により電気ヒーター４６に通電することにより加熱される。加熱によりカートリッジ３４内の活性炭は煮沸滅菌されると共に、活性炭に吸着された塩素やトリハロメタンは脱着され、活性炭が再生される。活性炭処理により得られた浄水や、再生時に加熱により発生した熱水や水蒸気は、カートリッジ３４の出口３４Ｅから三方弁４８に送られる。
【００１７】
三方弁４８は感温型のもので、活性炭再生時にカートリッジ３４から流出する熱水や水蒸気の温度に応じて出口が自動的に切換わるようになっている。図４および図５に示したように、三方弁４８は、熱膨張性ワックス組成物などからなる感温エレメントを内蔵した可動部４８Ａと浄水出口４８Ｂと熱水出口４８Ｃを備え、雰囲気温度の上昇に伴いスピンドル４８Ｄが伸長して弁体４８Ｅを図４において右方に移動させ、カートリッジ３４からの熱水や水蒸気を熱水出口４８Ｃに流出させるようになっている。感温型三方弁４８は、例えば、雰囲気温度が９０℃以下の時には流体は浄水出口４８Ｂに送られ、上記温度を超えると熱水出口４８Ｃに送られるように設定することができる。三方弁４８の浄水出口４８Ｂはホース５０を介して電解槽３６に接続され、熱水出口４８Ｃは熱水排出ホース５２を介してトラップ機構内蔵型のＴ継手５４に接続される。感温型三方弁に代えて、電動或いは手動の三方弁を採用してもよい。
【００１８】
水処理装置１０の使用時（ヒーター４６の非作動時）には、活性炭カートリッジ３４で得られた浄水は電解槽３６に送られる。図６から図１１を参照しながら電解槽３６の構成の１例を説明する。図示した電解槽３６は無隔膜型のもので、樹脂製の縦長の耐圧ケース５６を有する。図６からよく分かるように、ケース５６の凹みに、第１側方電極板５８と中央電極板６０と第２側方電極板６２との３枚の電極板を複数の樹脂製スペーサ６４を挟みながら順次配置し、カバー６６をケース５６に液密にねじ止めすることにより、電解槽３６が組立られる。中央電極板６０の両側に２枚の側方電極板を夫々配置したことにより、この電解槽３６は二重セル構造になっている。夫々の電極板には端子６８が固定してあり、コードを介して直流電源に接続されるようになっている。アルカリ性水生成モードにおいては、側方電極板５８および６２が陽極となり中央電極板６０が陰極となるように電圧が印加される。酸性水生成モードにおいては、逆極性の電圧が印加される。
【００１９】
図７からよく分かるように、ケース５６には、浄水入口７０と、第１電解水出口７２（この出口は、アルカリ性水供給モードではアルカリ性水出口となり、酸性水供給モードでは酸性水出口となる）と、第２電解水出口７４（アルカリ性水供給モードでは酸性水出口となり、酸性水供給モードではアルカリ性水出口となる）が形成してある。入口７０は断面略三角形の分配通路７６に連通している。この分配通路７６は、図８からよく分かるように、ケース５６とカバー６６とによって形成されており、電極板の上下方向全長にわたって延長している。
【００２０】
図１１の拡大断面図からよく分かるように、中央電極板６０の両側には２つの通水路７８が形成されている。これらの通水路は電極板と協動して電解室として作用するものである。電極板間には水平方向に延長する複数のスペーサ６４が配置してあるので、浄水入口７０から分配通路７６に沿って流下した水は、図１１に示したように通水路７８に水平方向に流入する。電極間隔を十分に狭くすれば、通水路７８を水平方向に流れる水流は層流となる。従って、電極板間に隔膜を設けなくても、電解により電極板表面に沿って夫々生成した酸性水とアルカリ性水とを別々に回収することができる。
【００２１】
中央電極板６０の表面に沿って生成した電解水は、第１電解水回収通路８０内に回収され、第１出口７２から吐出される。この第１電解水回収通路８０は、ケース５６とカバー６６とによって画成されており、分配通路３２と同様に電極板の上下方向全長にわたって延長している。側方電極板５８および６２の表面に沿って生成した電解水は第２電解水回収通路８２内に回収される。このため、夫々の側方電極板にはスリット８４が形成してあり、側方電極板５８および６２の表面に沿って流れる電解水が第２電解水回収通路８２内に流入するようになっている。第２電解水回収通路８２内に回収された電解水は連絡ポート８６を介して第２出口７４から吐出される。
【００２２】
再び図２を参照するに、電解槽３６の下部には、バルブユニット８８が接続され、電解槽３６の出口７２および７４から流出する水の方向切換えを行うようになっている。バルブユニット８８は、制御弁９０と減速ギヤ付きモータ９２とで構成することができる。図１２から図１５に制御弁９０の一例を示す。
【００２３】
図１２から図１５を参照するに、制御弁９０は、ハウジング９４と、このハウジング９４内に位置決めされた静止部材９６と、シャフト９８を介してモータ９２により回転駆動される回転ディスク１００を有する。ハウジング９４には、電解槽３６の第１出口７２に接続される第１入口１０２と、電解槽３６の第２出口７４に接続される第２入口１０４と、使用水出口１０６と、捨て水出口１０８と、それらの内部通路が形成されている。静止部材９６と回転ディスク１００には図示したような種々のポートや凹みが形成してあり、回転ディスク１００の角位置に応じて、電解槽３６の出口７２および７４から流入する水の全量を使用水出口１０６又は捨て水出口１０８に送ったり、電解槽３６の第１出口７２から流出する電解水を使用水出口１０６に送ると共に第２出口７４から流出する電解水を捨て水出口１０８に送るようになっている。
【００２４】
制御弁９０の使用水出口１０６には吐出ホース２４（図１）が接続され、捨て水出口１０８には捨て水ホース１１０（図２）が接続される。図２に示したように、この捨て水ホース１１０はトラップ機構内蔵型のＴ継手５４に接続されている。図１６および図１７を参照するに、Ｔ継手５４は、２つの入口１１２および１１４と１つの出口１１６を備えた本体１１８を有する。本体１１８には、堰１２０と仕切り１２２とによりトラップ構造１２４が形成されており、所定レベルの水が溜まるようになっている。Ｔ継手５４の出口１１６には排水ホース３０（図１および図２）が接続され、入口１１２には三方弁４８からの熱水排出ホース５２が接続され、入口１１４には制御弁９０からの捨て水ホース１１０が接続される。
【００２５】
再び図２を参照するに、水処理装置１０のベース４０には操作表示部１２６が設けてある。また、ベース４０内には、水処理装置１０の活性炭再生用の電気ヒーター４６や電解槽３６や制御弁９０のモータ９２を制御するための制御装置（図示せず）が配置してある。制御装置への電力は電源コード１２８（図１）から得られる。
【００２６】
この水処理装置１０の動作と使用の態様を説明するに、使用者が操作表示部１２６の操作により“浄水”を選択した時には、電解槽３６は作動せられず、制御弁９０は電解槽３６の２つの出口７２および７４から流出する水の全量が使用水吐出ホース２４に送られるような位置に切換えられる。使用者が切換えハンドル２６（図１）の操作により水栓１６を水処理装置１０に接続して水栓１６を開けると、水道水は中空糸膜フィルター３２と活性炭カートリッジ３４を通過して浄化され、浄水は休止中の電解槽３６を経て使用水吐出ホース２４に送られ、蛇口２８から吐出される。
【００２７】
使用者が“アルカリ性水”を選択した時には、制御弁９０は、電解槽３６の第１出口７２から使用水吐出ホース２４に流れる水の流量が４ｌ／分となり、電解槽３６の第２出口７４から捨て水ホース１１０および排水ホース３０に流れる捨て水の流量が１ｌ／分となるような位置に制御される。このアルカリ性水供給モードにおいては、中央電極板６０が陰極となり、側方電極板５８および６２が陽極となるような極性で電解槽３６に電圧が印加される。従って、陰極板６０の表面に沿ってアルカリ性水が生成して電解槽３６の第１出口７２に送られ、陽極板５８および６２の表面に沿って酸性水が生成して第２出口７４に送られる。得られたアルカリ性水は吐出ホース２４を介して蛇口に送られ、酸性水は排水ホース３０を介して流しに捨てられる。
【００２８】
使用者が“酸性水”を選択した時には、電解槽３６に印加される電圧の極性は反転され、中央電極板６０が陽極となり側方電極板５８および６２が陰極となるような極性で電解槽３６に電力が供給される。従って、電解槽３６の第１出口７２には酸性水が得られ、第２出口７４にはアルカリ性水が出力される。また、制御弁９０は、使用水吐出ホース２４への酸性水の流量が例えば３ｌ／分になり、排水ホース３０へのアルカリ性水の流量が２ｌ／分になるような位置に制御される。酸性水は使用水吐出ホース２４を介して蛇口に送られ、アルカリ性水は排水ホース３０を介して流しに捨てられる。
【００２９】
活性炭カートリッジ３４への通水に伴い、活性炭は物質を吸着し、活性炭の吸着性能が低下する。そこで、制御装置は毎日深夜などの適当な時刻にヒーター４６に通電し、活性炭カートリッジ３４を加熱して活性炭を再生させる。操作表示部１２６により設定された再生時刻が到来した時、或いは手動再生スイッチが押された時には、制御装置はヒーター４６への通電を開始する。ヒーター４６への通電により、カートリッジ３４内の水は沸騰し、カートリッジ３４内の活性炭は煮沸滅菌されると共に、活性炭に吸着されたトリハロメンのような揮発性の物質や塩素イオンは脱着され、活性炭が再生される。
【００３０】
ヒーター４６への通電により活性炭カートリッジ３４が加熱されると、三方弁４８のワックスは膨張し、カートリッジ３４を熱水出口４８Ｃに接続する。従って、カートリッジ３４内に発生した熱水や水蒸気は、電解槽３６に送られることなく、熱水排出ホース５２を介してＴ継手５４に送られる。図１６および図１７に示したように、Ｔ継手５４にはトラップ構造１２４が組み込まれているので、熱水や水蒸気がＴ継手５４から電解槽３６の方へ逆流するのを阻止する。このようにして、活性炭カートリッジ３４の再生時に熱水や水蒸気から電解槽３６を保護することができる。
【００３１】
電解槽３６の使用時には、電解槽から排出された捨て水はホース１１０に送られる。熱水排出ホース５２と捨て水ホース１１０はＴ継手５４により合流させてあるので、Ｔ継手５４から流し１２までは１本の排水ホース３０を延長させるだけでよい。従って、流しの周りの配管を簡素化することができる。
【００３２】
カートリッジ３４内の滞留水と活性炭に含まれた水が蒸発し、活性炭の再生が完了すると、カートリッジ３４底部の温度が上昇する。カートリッジ３４の底部にはサーミスタのような温度検知素子が配置してあり、制御装置はサーミスタからの信号に基づいてカートリッジ底部の温度が例えば１２０℃を超えたことを検知すると、ヒーター４６への通電を終了させる。
【００３３】
本発明の第２実施例においては、前述した実施例の電解槽３６に代えて、第２の中空糸膜フィルターを配置し、長期間の不使用時に活性炭カートリッジ３４から流出することがあるバクテリヤを除去する。この第２中空糸膜フィルターはホース５０により三方弁４８の浄水出口４８Ｂに接続される。従って、活性炭カートリッジ３４の再生時に発生した熱水や水蒸気が第２中空糸膜フィルターに送られることがない。また、この実施例においては、最初の実施例と同様に、第２中空糸膜フィルターからの吐出ホース（図示せず）は熱水排水ホース５２と共にトラップ内蔵型のＴ継手５４に合流させることができる。第１実施例と同様に、トラップ構造があるので、活性炭カートリッジ３４の再生時に発生した熱水や水蒸気が熱水排水ホース５２から第２中空糸膜フィルターに逆流するのが防止される。この実施例では、前述した実施例の捨て水ホース３０は廃止し、Ｔ継手５４の出口１１６には吐出ホース２４を接続することができる。
【００３４】
本発明の第３実施例においては、前述した第１実施例の電解槽３６の下流に第２の中空糸膜フィルターを配置することができる。
【００３５】
以上には本発明の特定の実施例について記載したが、本発明は斯る実施例に限定されるものではなく、種々の設計変更を加えることができる。例えば、濾過段３２は省略することができる。また、活性炭カートリッジ３４や電解槽３６や三方弁４８の構造は変更することができる。
【００３６】
【発明の効果】
活性炭再生にあたりカートリッジ３４内に発生した熱水や水蒸気は三方弁４８によって熱水排出ホース５２に送られるので、後段処理装置（電解槽３６や第２中空糸膜フィルター）を熱から保護することができる。従って、後段処理装置の耐久性を確保しながら活性炭の吸着性能を回復させることができ、水処理装置１０全体の寿命を延長させることができる。
【００３７】
本発明の実施態様に従い、電解槽３６からの捨て水ホース１１０と熱水排出ホース５２とをＴ継手５４にて合流させた場合には、排出ホース３０を１本にすることができ、配管を簡素化することができる。この場合、Ｔ継手５４と電解槽３６との間にトラップ構造１２４を設けた場合には、熱水や水蒸気がＴ継手から電解槽の方に逆流するのを防止することができるので、配管を簡素化しながらも電解槽を保護することができる。
【００３８】
Ｔ継手５４をトラップ組み込み型の構造にした場合には、水処理装置をコンパクトにすることができる。
【図面の簡単な説明】
【図１】図１は、本発明の水処理装置の使用例を示す斜視図である。
【図２】図２は、図１に示した水処理装置の分解斜視図である。
【図３】図３は、図２に示した活性炭カートリッジの一部切欠き断面図である。
【図４】図４は、図２に示した三方弁の断面図である。
【図５】図５は、図４に示した三方弁の可動部の斜視図である。
【図６】図６は、図２に示した電解槽の分解斜視図である。
【図７】図７は、図６のVII−VIIに沿った断面図で、電解槽の組立状態を示す。
【図８】図８は、図７のVIII−VIIIに沿った断面図で、図面簡素化のため電極板とスペーサは省略してある。
【図９】図９は、図７のIX−IXに沿った断面図である。
【図１０】図１０は、図７のX−X線に沿った断面図である。
【図１１】図１１は、図８の円内部分の拡大図である。
【図１２】図１２は、制御弁の分解斜視図である。
【図１３】図１３は、図１２に示した静止部材とディスクを斜め下から見た分解斜視図である。
【図１４】図１４は、図１２に示したハウジングの平面図である。
【図１５】図１５は、図１４のXV−XVに沿った断面図である。
【図１６】図１６は、図２に示したトラップ内蔵型Ｔ継手の一部切欠き斜視図である。
【図１７】図１７は、図１６のXVII−XVIIに沿った断面図である。
【符号の説明】
１０：  水処理装置
３４：  活性炭槽
３６：  第２水処理手段（電解槽）
４２：  水処理装置の筺体
４６：  加熱手段
４８：  三方弁
４８Ｂ：  三方弁の浄水出口
４８Ｃ：  三方弁の熱水出口
５２：  熱水排出管路
５４：  Ｔ継手
１２４：  トラップ機構
【図１】
0003543372.tif 000002
【図２】
0003543372.tif 000003
【図３】
0003543372.tif 000004
【図４】
0003543372.tif 000005
【図５】
0003543372.tif 000006
【図６】
0003543372.tif 000007
【図７】
0003543372.tif 000008
【図８】
0003543372.tif 000009
【図９】
0003543372.tif 000010
【図１０】
0003543372.tif 000011
【図１１】
0003543372.tif 000012
【図１２】
0003543372.tif 000013
【図１３】
0003543372.tif 000014
【図１４】
0003543372.tif 000015
【図１５】
0003543372.tif 000016
【図１６】
0003543372.tif 000017
【図１７】
0003543372.tif 000018